(57)【特許請求の範囲】
【請求項１】
被装着物に取り付け固定するクリップ部と、
前記クリップ部に支持され、ティーペグを保持する保持孔を有する保持プレート部と、
を備え、
前記クリップ部は、
先端側に前記被装着物の一部分を狭持する狭持部を有し、前記狭持部の背後側に前記保持プレート部を支持するプレート支持部を有し、
前記保持プレート部は、
可撓性を有し、該保持プレート部の一の縁部分から中央部分に向かって形成された一の支持用切欠き部と、該保持プレート部の他の縁部分から中央部分に向かって形成された他の支持用切欠き部と、を対向配置して備え、
前記プレート支持部は、
前記保持プレート部を撓ませて挿入することができるプレート挿入孔を有し、
前記プレート挿入孔に挿入された前記保持プレート部の撓みが解消されたとき、前記プレート挿入孔の両端に位置する前記プレート支持部の支持端部が、それぞれ前記一の支持用切欠き部ならびに前記他の支持用切欠き部に挿入されて前記保持プレート部が位置決め支持される、
ことを特徴とするティーペグホルダー。
【請求項２】
被装着物に取り付け固定するクリップ部と、
前記クリップ部に支持され、ティーペグを保持する保持孔を有する保持プレート部と、
を備え、
前記クリップ部は、
先端側に前記被装着物の一部分を狭持する狭持部を有し、前記狭持部の背後側に前記保持プレート部を支持するプレート支持部を有し、
前記保持プレート部は、
該保持プレート部の一の縁部分から中央部分に向かって形成された一の支持用切欠き部と、該保持プレート部の他の縁部分から中央部分に向かって形成された他の支持用切欠き部と、を前記一の支持用切欠き部と前記他の支持用切欠き部との間に前記保持孔が位置しないように対向配置して備え、
前記プレート支持部は、
長手部材によって形成された支持部材を、長手方向の一端が開閉可能に前記プレート支持部の後端に備え、
前記支持部材を閉じた状態としたとき前記保持プレート部を挿入する長孔のプレート挿入孔が形成され、
前記支持部材を開いた状態で前記支持部材と前記プレート支持部の後端との間に前記保持プレート部を挿入して、前記支持部材を閉じると、前記プレート挿入孔の長手方向の両端に位置する前記プレート支持部の支持端部もしくは前記支持部材の２つの長手端部が、それぞれ前記一の支持用切欠き部ならびに前記他の支持用切欠き部に挿入されて前記保持プレート部が位置決め支持される、
ことを特徴とするティーペグホルダー。
【請求項３】
前記保持プレート部は、硬質のシリコンゴム、硬質の合成ゴムまたは硬質の樹脂材料を用いて形成されている、
ことを特徴とする請求項２に記載のティーペグホルダー。
【請求項４】
前記保持プレート部は、
２つの前記支持端部がそれぞれ前記一の支持用切欠き部ならびに前記他の支持用切欠き部に挿入されて前記保持プレート部が位置決め支持されたとき、前記２つの支持端部にそれぞれ前記一の支持用切欠き部ならびに前記他の支持用切欠き部から押圧が加わるように、前記一の支持用切欠き部と前記他の支持用切欠き部との間を離して形成されている、
ことを特徴とする請求項１から請求項３のいずれか１項に記載のティーペグホルダー。
【発明の詳細な説明】
【技術分野】
【０００１】
本開示は、ゴルフのドライバーショットで使用するティーペグを収納し、ゴルフクラブのヘッドカバー等に取り付け保持させるティーペグホルダーに関する。
【背景技術】
【０００２】
ゴルフコースにおいて、第１打を行うとき、ゴルフプレーヤーが任意のティーペグをティーグランドに挿して、これにゴルフボールを載置し、好みの高さにティーアップしている。
ゴルフコースを回るとき、各ホールの第１打のみティーペグを用いることから、第２打以降のプレーでは、ゴルフバッグのポケットなどにティーペグを収納している。そのため、ゴルフコースを回るうちにティーペグを紛失することがある。
一般的には、ティーペグは、ロングホールとショートホールにおいて使い分けるためや、紛失したときのスペアとして、複数のティーペグを持ち歩いている。【０００３】
例えば、ゴルフ場の各ホールを回るとき、ティーペグを保持させて帽子やウエアーなどに取り付け固定するティーホルダーがある（特許文献１）。
このティーホルダーは、筒状体を有する基材に連結具を装着して構成されており、例えば、連結具として安全ピンを備えている。このティーホルダーを使用するときには、安全ピンの針部分を帽子やウエアーなどの適当な部分に刺して基材を固定し、筒状体の開孔部にティーペグを挿入して保持させる。【０００４】
また、嵌挿孔を有し、適度な弾性（可撓性）を有する基材にクリップ等の狭持具を設けたティーホルダーがある（特許文献２）。
このティーホルダーは、基材を扇形状に形成し、この基材の上端面から下端面に向けて複数の嵌挿孔を設けている。この嵌挿孔は、ティーペグが挿入されたとき、当該ティーペグに密着して、基材の弾力によって保持するように形成され、ティーペグが不意に脱落することや抜け落ちることを防いでいる。
【先行技術文献】
【特許文献】
【０００５】
【特許文献１】登録実用新案第３１７１１８８号公報
【特許文献２】特開昭５９−４０８７５号公報
【発明の概要】
【発明が解決しようとする課題】
【０００６】
従来のティーペグホルダーは、ウエアーやバッグなどの任意の部分に固定する部分（クリップ等）と、ティーペグを挿入して保持させる部分とを、容易に分離することができないように構成されている。
また、これらのティーペグホルダーは、ティーペグを保持するとき、筒状部や嵌挿孔等に挿入している。そのため、ティーペグを保持固定する動作と引き出す操作を繰り返しているうちに、当該ティーペグを保持する部分に損傷が生じる場合がある。
そのため、これらのティーペグホルダーは、一部分が損傷しただけでも、ティーペグホルダー全体を新品に取り替えることが必要であった。【０００７】
本開示は、ティーペグを被装着物に取り付けることができ、また、ティーペグを保持する部分を容易に取り替えることができるティーペグホルダーを提供する。
【課題を解決するための手段】
【０００８】
本開示に係るティーペグホルダーは、被装着物に取り付け固定するクリップ部と、前記クリップ部に支持され、ティーペグを保持する保持孔を有する保持プレート部と、を備え、前記クリップ部は、先端側に前記被装着物の一部分を狭持する狭持部を有し、前記狭持部の背後側に前記保持プレート部を支持するプレート支持部を有し、前記保持プレート部は、可撓性を有し、該保持プレート部の一の縁部分から中央部分に向かって形成された一の支持用切欠き部と、該保持プレート部の他の縁部分から中央部分に向かって形成された他の支持用切欠き部と、を対向配置して備え、前記プレート支持部は、前記保持プレート部を撓ませて挿入することができるプレート挿入孔を有し、前記プレート挿入孔に挿入された前記保持プレート部の撓みが解消されたとき、前記プレート挿入孔の両端に位置する前記プレート支持部の支持端部が、それぞれ前記一の支持用切欠き部ならびに前記他の支持用切欠き部に挿入されて前記保持プレート部が位置決め支持されることを特徴とする。【０００９】
また、本開示に係るティーペグホルダーは、被装着物に取り付け固定するクリップ部と、前記クリップ部に支持され、ティーペグを保持する保持孔を有する保持プレート部と、を備え、前記クリップ部は、先端側に前記被装着物の一部分を狭持する狭持部を有し、前記狭持部の背後側に前記保持プレート部を支持するプレート支持部を有し、前記保持プレート部は、該保持プレート部の一の縁部分から中央部分に向かって形成された一の支持用切欠き部と、該保持プレート部の他の縁部分から中央部分に向かって形成された他の支持用切欠き部と、を前記一の支持用切欠き部と前記他の支持用切欠き部との間に前記保持孔が位置しないように対向配置して備え、前記プレート支持部は、長手部材によって形成された支持部材を、長手方向の一端が開閉可能に前記プレート支持部の後端に備え、前記支持部材を閉じた状態としたとき前記保持プレート部を挿入する長孔のプレート挿入孔が形成され、前記支持部材を開いた状態で前記支持部材と前記プレート支持部の後端との間に前記保持プレート部を挿入して、前記支持部材を閉じると、前記プレート挿入孔の長手方向の両端に位置する前記プレート支持部の支持端部もしくは前記支持部材の２つの長手端部が、それぞれ前記一の支持用切欠き部ならびに前記他の支持用切欠き部に挿入されて前記保持プレート部が位置決め支持されることを特徴とする。【００１０】
また、前記保持プレート部は、硬質のシリコンゴム、硬質の合成ゴムまたは硬質の樹脂材料を用いて形成されていることを特徴とする。【００１１】
また、前記保持プレート部は、２つの前記支持端部がそれぞれ前記一の支持用切欠き部ならびに前記他の支持用切欠き部に挿入されて前記保持プレート部が位置決め支持されたとき、前記２つの支持端部にそれぞれ前記一の支持用切欠き部ならびに前記他の支持用切欠き部から押圧が加わるように、前記一の支持用切欠き部と前記他の支持用切欠き部との間を離して形成されていることを特徴とする。
【発明の効果】
【００１２】
本開示によれば、ティーペグを身辺の携行品等に取り付けることができ、ティーペグを保持する部分に傷みが生じた場合には、この部分を容易に取り替えることができる。
【図面の簡単な説明】
【００１３】
【図１】本開示の実施の形態１によるティーペグホルダーの構成を示す斜視図である。
【図２】図１のクリップ部と保持プレート部とを分離したときの各部の構成を示す説明図である。
【図３】図１のティーペグホルダーをヘッドカバーに取り付けた状態を示す説明図である。
【図４】クリップ部に位置決め支持させる保持プレート部の他の構成を示す説明図である。
【図５】本開示の実施の形態２によるティーペグホルダーのクリップ部の構成を示す説明図である。
【発明を実施するための形態】
【００１４】
以下、この発明の実施の一形態を説明する。
［実施の形態１］
図１は、本開示の実施の形態１によるティーペグホルダー１の構成を示す斜視図である。ティーペグホルダー１は、例えば、ドライバー（ゴルフクラブ）のヘッドカバー、ゴルフバッグなどの任意の部分（被装着物）にティーペグホルダー１を着脱可能に固定するクリップ部１０、クリップ部１０に位置決め支持されて複数のティーペグを保持する保持プレート部２０を備えて構成されている。
クリップ部１０は、例えば、容易に変形や撓みが生じない硬質の樹脂部材等によって構成されている。
保持プレート部２０は、可撓性を有する材料、例えば、厚みが２〜３［ｍｍ］程度のシリコンゴム、合成ゴム、軟質樹脂製のシート材等を用いて形成されている。
【００１５】
図２は、図１のクリップ部１０と保持プレート部２０とを分離したときの各部の構成を示す説明図である。
クリップ部１０は、例えば、前側部分に狭持部１１を備え、また、狭持部１１の基端側を支持するクリップ本体部１２を備えて構成されている。
狭持部１１は、例えば、鋏のように先端部分が、図１において上下方向に開閉するように、基端部分が図示を省略した軸部材等によってクリップ本体部１２に接続（支持）されている。
【００１６】
狭持部１１の基端部分には、狭持付勢部１１ａが設置されている。狭持付勢部１１ａは、例えば、クリップ本体部１２に、一の操作が行われると、狭持部１１の先端側を閉じるように付勢し、他の操作が行われると、上記の閉じる付勢が狭持部１１の先端側を開く付勢に切り替わるように構成されている。
または、狭持付勢部１１ａは、一の操作が行われると狭持部１１の先端側を閉じるように付勢し、他の操作が行われると、上記の閉じる付勢が無くなって狭持部１１の先端側が自在に開くことができるように構成されたものでもよい。
【００１７】
クリップ本体部１２は、クリップ部１０の先端側となる部分に上記の狭持付勢部１１ａ、狭持部１１が設けられ、狭持部１１等の背後側となる後端部分にプレート支持部１３を備えている。
また、クリップ本体部１２は、例えば、クリップ本体部１２の一部分に押圧が加えられると、上記の閉じる付勢と開く付勢（または閉じる付勢の有無）を切り替える操作機構部（図示省略）等を備えて構成されている。
プレート支持部１３は、保持プレート部２０を挿入するプレート挿入孔１４が設けられている。
プレート挿入孔１４は、狭持部１１から離れた位置に設けられた長孔で、この長孔は、長さＷ１を有し、狭持部１１の幅方向と平行になるように形成されている。
プレート挿入孔１４は、短手方向の長さが、保持プレート部２０の厚みと同等、もしくは若干長く形成されている。
【００１８】
保持プレート部２０は、前述のように可撓性を有するシリコンゴム等の材料を用いて形成されたもので、ここで例示するものは、６個の保持孔２１が設けられている。
保持プレート部２０は、例えば、保持孔２１が３個ずつ２列に配置されており、２列の保持孔２１の間には、支持用切欠き部２２が設けられており、図２に示したように、横幅がクリップ部１０よりも広く形成されている。
【００１９】
保持孔２１は、ティーペグの径と同様な径を有する貫通孔で、詳しくは、ティーペグが挿入されると、保持プレート部２０を形成する素材の可撓性により、適度にティーペグを締付け保持することができるように形成されている。
保持孔２１は、例えば、当該ティーペグよりもわずかに小さい径の部分を有するように、例えば、テーパー状に形成してもよい。
【００２０】
支持用切欠き部２２は、保持プレート部２０の対向配置された一の縁辺と他の縁辺に１個ずつ互いに対向するように形成（対向配置）され、各辺の縁部分から保持プレート部２０の中央部分に向かって切り開かれている。
ここで例示する支持用切欠き部２２は、容易にプレート挿入孔１４へ挿入することができるように、保持プレート部２０の縁部分において拡がって開口する切欠き開口部２３を有している。
なお、支持用切欠き部２２は、２つの支持用切欠き部２２の間に保持孔２１が位置しないように設けられる。
後述するように、保持プレート部２０をクリップ本体部１２（プレート支持部１３）に位置決め支持させると、２つの支持用切欠き部２２の間の部分は、プレート支持部１３に当接する。そのため、保持孔２１は、保持プレート部２０がクリップ本体部１２に位置決め支持された状態において、ティーペグ１０１が挿入できるように、２つの支持用切欠き部２２の間を避けて配置される。
【００２１】
支持用切欠き部２２の切欠き幅（図２において上下方向の間隔）は、プレート挿入孔１４の孔の深さと同様である。
また、支持用切欠き部２２は、当該支持用切欠き部２２から亀裂等の発生を防ぐように、支持用切欠き部２２の奥側、即ち、保持プレート部２０の中央側の端部が、上記の切欠き幅よりも若干大きな丸孔状に形成された切欠き奥端部２４を有している。
【００２２】
プレート支持部１３は、両側端部分に支持端部１３ａを有している。
支持端部１３ａは、プレート挿入孔１４の長手両端に配置され、２つの支持端部１３ａは、長さＷ１の間隔を開けて配置される。
【００２３】
保持プレート部２０は、プレート挿入孔１４に挿入したとき、２つの切欠き奥端部２４が、それぞれ支持端部１３ａに当接するように、長さＷ２の間隔を開けて２つの支持用切欠き部２２を設けている。
上記の長さＷ２は、プレート挿入孔１４の長さＷ１と同等の長さである。
なお、２つの切欠き奥端部２４の間隔（支持用切欠き部２２の間隔）は、プレート挿入孔１４に保持プレート部２０を挿入したとき、支持用切欠き部２２が支持端部１３ａ（プレート挿入孔１４の長手両端の孔壁部分）に当接することができる長さである。
【００２４】
換言すると、保持プレート部２０は、支持用切欠き部２２の縁辺となる部分がプレート支持部１３に当接するように形成されている。
また、保持プレート部２０は、複数の保持孔２１を並べて設けた部分が、プレート挿入孔１４よりも長く形成されており、２つの支持用切欠き部２２の間の部分以外は、プレート挿入孔１４を容易に通り抜けることができないように形成されている。
【００２５】
次に、クリップ部１０に保持プレート部２０を取り付け固定する手順を説明する。
図２のプレート挿入孔１４に、保持プレート部２０を挿入するときには、例えば、初めに、保持プレート部２０のいずれかの角端部をプレート挿入孔１４に挿入する。
このとき、一の支持端部１３ａが、一の切欠き開口部２３に挿入され、一の切欠き奥端部２４へ移動するように、保持プレート部２０をプレート挿入孔１４に挿入する。
【００２６】
次に、保持プレート部２０を撓ませて（例えば、２つの支持用切欠き部２２の間が縮むように撓ませて）、他の切欠き開口部２３に、他の支持端部１３ａを挿入させる。
また、他の切欠き開口部２３に挿入された他の支持端部１３ａが、他の切欠き奥端部２４へ移動するように、さらに保持プレート部２０をプレート挿入孔１４へ挿入する。
上記のように、他の支持端部１３ａを他の切欠き奥端部２４に移動させるときには、保持プレート部２０の撓みが解消するように、保持プレート部２０をプレート挿入孔１４へ挿入し、２つの支持用切欠き部２２の間の部分をプレート支持部１３に支持させ、保持プレート部２０の位置決め支持を行う。
【００２７】
このように保持プレート部２０が位置決め支持されているとき、プレート支持部１３の長手両端に位置する２つの支持端部１３ａには、それぞれ接している支持用切欠き部２２から適当な押圧が加えられる。
このような押圧が作用することにより、例えば、保持プレート部２０にティーペグを取り付けるとき、または取り外すときにおいても、保持プレート部２０がクリップ本体部１２等に対して位置ずれ等を起こさないように固定される。
換言すると、保持プレート部２０をクリップ本体部１２に位置決め支持させたとき、上記の押圧が生じるように、保持プレート部２０等は、２つの支持用切欠き部２２の間を離して形成されている。
【００２８】
なお、プレート支持部１３から保持プレート部２０を取り外すときには、上記の手順を逆に行うとよい。
【００２９】
図３は、図１のティーペグホルダー１をヘッドカバー１０２に取り付けた状態を示す説明図である。この図は、複数のティーペグ１０１を保持プレート部２０に保持させ、例えば、ドライバーのヘッドカバー１０２にクリップ部１０を取り付けた状態を示している。
このように、ヘッドカバー１０２にティーペグホルダー１を固定するときには、例えば、前述のようにクリップ本体部１２に一の操作を行って、狭持部１１を閉じてヘッドカバー１０２の適当な部分を挟み込み、ティーペグホルダー１をヘッドカバー１０２に固定する。また、適宜、ティーペグホルダー１の保持プレート部２０に、任意のティーペグ１０１を保持させる。
【００３０】
上記のようにドライバーのヘッドカバー１０２にティーペグホルダー１を取り付けると、ドライバーを使用するとき、見つけ易いところにティーペグを配置しておくことができ、ティーペグを紛失することを抑制することができる。
ティーペグホルダー１は、上記のヘッドカバー１０２の他、帽子の端部、ウエアーのポケットの縁部分、腰ベルト、ゴルフバッグ（ゴルフの携行品）の任意の部分などに取り付けて使用することが可能である。
【００３１】
図４は、クリップ部１０に位置決め支持させる保持プレート部２０ａの構成を示す説明図である。ティーペグホルダー１は、保持プレート部２０に替えて、クリップ部１０に保持プレート部２０ａを固定することも可能である。
保持プレート部２０ａは、例えば、保持プレート部２０と同様に可撓性を有するシリコンゴム等の材料を用いて形成されたもので、ここで例示するものは、４個の保持孔２１が設けられている。
なお、保持プレート部２０ａに設けられている保持孔２１は、保持プレート部２０に設けられているものと同じ大きさ、形状を有する。
保持プレート部２０ａは、保持孔２１が２個ずつ２列に配置されており、２列の保持孔２１の間には、支持用切欠き部２２が設けられている。
【００３２】
保持プレート部２０ａの支持用切欠き部２２は、保持プレート部２０と同様に長さＷ２の間隔を開けて配置されている。そのため、保持プレート部２０ａの、２つの支持用切欠き部２２の間の部分は、クリップ本体部１２のプレート挿入孔１４に挿入することができ、保持プレート部２０と同様にプレート支持部１３に位置決め支持される。
保持プレート部２０ａは、保持プレート部２０に比べて横幅が狭く形成され、保持孔２１を横幅方向に２個並べて、これを上下２列に配置している。
【００３３】
保持プレート部２０ａの支持用切欠き部２２は、上記のように長さＷ２の間隔を開けて配置され、また、保持プレート部２０ａの横幅が狭いことから、切欠き開口部２３や切欠き奥端部２４を備えることなく形成され、保持プレート部２０ａの縁辺から、当該保持プレート部２０ａの中央部分に向かって凸状になる半円形状に形成されている。
【００３４】
少ない本数のティーペグ１０１を保持させるときには、保持プレート部２０ａを備えたティーペグホルダー１を用いるとよい。
保持プレート部２０ａは、保持プレート部２０に比べて横幅が狭いため、クリップ部１０のプレート支持部１３に取り付ける作業や、取り外す作業を容易に行うことができる。
ティーペグホルダー１に備える保持プレート部は、保持プレート部２０のように６個の保持孔２１を備える構成や、保持プレート部２０ａのように４個の保持孔２１を備える構成に限定されず、他の個数の保持孔２１を備えた構成でもよい。
なお、ティーペグホルダー１に備える保持プレート部２０は、何れかの個数の保持孔２１を備える場合でも、前述のような支持用切欠き部２２を備え、プレート挿入孔１４に挿入されて、プレート支持部１３に位置決め支持されるように構成されている。
【００３５】
［実施の形態２］
図５は、本開示の実施の形態２によるティーペグホルダー１ａのクリップ部１０ａの構成を示す説明図である。実施の形態２のティーペグホルダー１ａは、図２等に示した保持プレート部２０、図４に示した保持プレート部２０ａ等と同様なものを、図５に示したクリップ部１０ａに固定して構成されている。ここでは、実施の形態１で説明した保持プレート部２０、ならびに保持プレート部２０ａ等と同様に構成される部分について重複説明を省略する。
【００３６】
ティーペグホルダー１ａは、ティーペグホルダー１と同様に構成された狭持部１１、狭持付勢部１１ａ等をクリップ本体部１２ａの前側部分（クリップ部１０ａの先端側となる部分）に設置している。
また、クリップ本体部１２ａは、前述のクリップ本体部１２と同様に、例えば、クリップ本体部１２ａの一部分に押圧を加えると、狭持部１１を閉じる付勢と開く付勢（または閉じる付勢の有無）を切り替える操作機構部（図示省略）等を備えて構成されている。
【００３７】
クリップ本体部１２ａの後端側（狭持部１１等の背後側となる後端部分）には、例えば、一の側方端が開閉するプレート支持部３０を備えている。
プレート支持部３０は、クリップ本体部１２ａの後端部分と支持部材３１によって構成されている。
クリップ本体部１２ａの後端部分および支持部材３１は、図５において左側に示したように支持部材３１を閉じた状態にしたとき、即ち、クリップ本体部１２ａの後端部分に支持部材３１を固定したとき、これらに囲まれてプレート挿入孔１４が形成される形状を有している。このプレート挿入孔１４は、実施の形態１で説明したプレート挿入孔１４と同様な大きさ、形状を有するものである。
【００３８】
クリップ本体部１２ａ後端側の他の側方端（図５においてプレート支持部３０の右側端部）には、開閉支持部３２が設けられており、開閉支持部３２を中心にして支持部材３１が回転移動するように、当該支持部材３１の他の側方端を支持している。
クリップ本体部１２ａ後端側の一の側方端（図５においてプレート支持部３０の左側端部）、および、支持部材３１の一の端部には、支持部材固定部３３が設けられている。
支持部材固定部３３は、クリップ本体部１２ａ後端側の他の側方端に、支持部材３１の一の側方端が係止される（例えば嵌合される）形状に形成されており、例えば、使用者の指で支持部材３１を撓ませると、係止が解除されるように構成されている。
【００３９】
クリップ部１０ａに、例えば、保持プレート部２０を位置決め支持させるときには、図５の右側に示したように、支持部材３１を開いた状態（支持部材固定部３３の固定を解除した状態）にしておき、当該開いている部分から保持プレート部２０を挿入する。
このとき、保持プレート部２０の２つの支持用切欠き部２２が、支持部材３１の両側方に位置する各支持端部３０ａ（プレート支持部３０の長手方向の両端部）にそれぞれ当接するように、支持部材３１とクリップ本体部１２ａ後端部との間に保持プレート部２０を挿入する。
このように保持プレート部２０を挿入した後、図５の左側に示したように、支持部材固定部３３を係止させて支持部材３１を閉じる。
【００４０】
上記のように支持部材３１を閉じることによって、保持プレート部２０がプレート挿入孔１４に挿入された状態になり、クリップ本体部１２ａに保持プレート部２０が位置決め支持される。
このように保持プレート部２０が位置決め支持されているとき、支持部材３１の長手両端に位置する２つの支持端部３０ａ（プレート支持部３０の長手方向の両端部）には、それぞれ接している支持用切欠き部２２から適度な押圧が加えられる。
このような押圧が作用することにより、例えば、保持プレート部２０にティーペグ１０１等を取り付けるとき、または取り外すときにおいても、保持プレート部２０がクリップ本体部１２ａ等に対して位置ずれ等を起こさないように固定される。
換言すると、保持プレート部２０（保持プレート部２０ａ）をクリップ本体部１２ａに位置決め支持させたとき、上記の押圧が生じるように、保持プレート部２０等は、２つの支持用切欠き部２２の間を離して形成されている。
【００４１】
クリップ本体部１２ａから、例えば、保持プレート部２０を取り外すときには、支持部材固定部３３の係止を解除し、支持部材３１を開いてプレート挿入孔１４から保持プレート部２０を取り出す。
なお、クリップ本体部１２ａは、図４に示した保持プレート部２０ａについても、保持プレート部２０と同様に、取り付け、取り外しが可能である。
【００４２】
ティーペグホルダー１ａは、クリップ本体部１２ａに保持プレート部２０等を取り付けるとき、また、クリップ本体部１２ａから保持プレート部２０等を取り外すときに、支持部材３１を開いた状態にすることができるため、保持プレート部２０を大きく撓ませる必要がない。
ティーペグホルダー１ａに備える保持プレート部２０等は、可撓性を有するものでもよいが、これに比べて硬質の材料を用いたものでもよい。即ち、ティーペグホルダー１ａは、実施の形態１の保持プレート部２０等に比べて、硬質のシリコンゴム、硬質の合成ゴム、硬質の樹脂材料等を用いて形成した保持プレート部２０等を用いることができる。
【００４３】
なお、ティーペグホルダー１ａに備える保持プレート部２０等は、上記のように硬質の材料を用いて形成された場合でも、実施の形態１で説明したものと同様に、ティーペグ１０１を保持することができるように形成された保持孔２１を有している。具体的には、ティーペグ１０１を締付け保持ができるように、例えば、保持孔２１の孔縁部分の厚みを、テーパー孔のように薄くして、この部分に可撓性（弾性）が生じるように保持プレート部２０等を形成する。
【００４４】
以上のように、本開示のティーペグホルダー１，１ａは、ティーペグ１０１を保持する保持プレート部２０，２０ａを、適当なときに、クリップ部１０，１０ａに対して取り付け、取り外しを行うことができ、例えば、ティーペグの本数に応じて適当な保持プレートに取り替えることができ、また、損傷が生じた保持プレート部を新品に取り替えることができる。
【符号の説明】
【００４５】
１，１ａ  ティーペグホルダー
１０，１０ａ  クリップ部
１１  狭持部
１１ａ  狭持付勢部
１２，１２ａ  クリップ本体部
１３，３０  プレート支持部
１３ａ，３０ａ  支持端部
１４  プレート挿入孔
２０，２０ａ  保持プレート部
２１  保持孔
２２  支持用切欠き部
２３  切欠き開口部
２４  切欠き奥端部
３１  支持部材
３２  開閉支持部
３３  支持部材固定部
１０１  ティーペグ
１０２  ヘッドカバー
【要約】
ティーペグを被装着物に取り付けることができ、ティーペグを保持する部分を容易に取り替えることができるティーペグホルダーを提供する。クリップ部１０の先端側に狭持部１１を、狭持部１１の背後側にプレート支持部１３を備え、保持プレート部２０に２つの支持用切欠き部２２と保持孔２１とを備え、プレート支持部１３のプレート挿入孔１４に挿入された保持プレート部２０の撓みが解消されると、プレート支持部１３の両側方がそれぞれ支持用切欠き部２２に挿入されて保持プレート部２０が固定される。【図１】
0006980333.tif 000002
【図２】
0006980333.tif 000003
【図３】
0006980333.tif 000004
【図４】
0006980333.tif 000005
【図５】
0006980333.tif 000006